【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
補強土擁壁システムにおいて：
壁を形成するためにベースコースの上コース内に配置した複数のブロックを具え、前記壁が保留側とドレッジ側を有しており、各ブロックが、使用に際して前記壁のドレッジ側を向いた前面と、前記前面から前記ブロックの深さを規定する距離だけスペースをあけて配置され、使用に際して前記壁の保留側を向いた後面と、上面と、前記上面から前記ブロックの高さを規定する距離だけスペースをあけて配置された底面と、前記ブロックの幅を規定する距離だけ互いにスペースをあけて配置された対向する側面と、前記ブロックの高さの少なくとも一部を通って延在し、前記上面または底面内の第１の開口を終端とする通路と、を具え、前記通路と第１の開口が、ストリップ状補強材の長さの第１の部分を受けるように構成されており；
前記壁をつなぎ留めるための複数の長さのストリップ状補強材を具え、各ストリップ状補強材の長さが、前記複数のブロックの少なくとも一の中に、前ストリップ状補強材の長さの第１の部分が前記ブロックの通路内で受けられており、前記ストリップ状補強材の長さの第２の部分が前記ブロックの上面または底面と同一面に整列して配置され、前記ストリップ状補強材の長さの第３の部分が前記ブロックの後面から外側に延在して配置されるように挿入されており、裏込めおよび締固めの間に前記壁に略直交する位置に固定されている；
ことを特徴とする補強土擁壁システム。
【請求項２】
請求項１に記載の補強土擁壁システムにおいて、前記通路が、前記ブロックのトップセクションあるいはベースセクションに対してほぼ垂直方向にあることを特徴とする補強土擁壁システム。
【請求項３】
請求項１または２に記載の補強土擁壁システムにおいて、各長さのストリップ状補強材が弾力的でフレキシブルであることを特徴とする補強土擁壁システム。
【請求項４】
請求項１乃至３のいずれかに記載の補強土擁壁システムにおいて、前記ブロックが更に、第１の開放通路から、前記ブロックの上面または底面に沿って延在するガイドスロットを具えており、このガイドスロットが、前記ブロックの後面を終端としており、前記ストリップ状補強材の長さの第２の部分を収容するように構成されていることを特徴とする補強土擁壁システム。
【請求項５】
請求項１乃至４のいずれかに記載の補強土擁壁システムにおいて、前記ストリップ状補強材の長さの第３の部分は、裏込めおよび締固めを行う直前に前記ブロックの上面あるいはベース面と同一面に整列するように構成されていることを特徴とする補強土擁壁システム。
【請求項６】
請求項１乃至５のいずれかに記載の補強土擁壁システムにおいて、前記通路が、前記ブロックの底面に設けた第１の開口から、前記ブロックの上面に設けた第２の開口まで、前記ブロックの全高さにわたって延在していることを特徴とする補強土擁壁システム。
【請求項７】
請求項６に記載の補強土擁壁システムにおいて、前記ストリップ状補強材の長さが、前記通路を通って前記第１の開口から前記第２の開口へ挿入され、前記ストリップ状補強材の長さの第４の部分が、裏込めと締固めの間に前記壁に略垂直な位置に固定されるべきブロックの後面から外側へ延在するように構成されていることを特徴とする補強土擁壁システム。
【請求項８】
請求項７に記載の補強土擁壁システムにおいて、前記第４の部分は、裏込めと締固めの直前に壁から離れて、前記ブロックの上面または底面に対してほぼ同一面に整列して配置されていることを特徴とする補強土擁壁システム。
【請求項９】
請求項１乃至８のいずれかに記載の補強土擁壁システムにおいて、前記通路が、前記底面から上面に延在するキャビティであり、当該キャビティが多量のバラストを受けるように構成されていることを特徴とする補強土擁壁システム。
【請求項１０】
請求項１０に記載の補強土擁壁システムにおいて、前記バラストが排水性骨材であることを特徴とする補強土擁壁システム。
【請求項１１】
請求項１０に記載の補強土擁壁システムにおいて、前記バラストが不浸透性であることを特徴とする補強土擁壁システム。
【請求項１２】
請求項１乃至１１のいずれかに記載の補強土擁壁システムにおいて、前記通路が複数の通路の一つであることを特徴とする補強土擁壁システム。
【請求項１３】
請求項１乃至１２のいずれかに記載の補強土擁壁システムがさらに、隣接する第２のコースの上に前記第１のコースが摺動するのを阻止するための、一またはそれ以上のシャーピンを具えることを特徴とする補強土擁壁システム。
【請求項１４】
請求項１乃至１３のいずれかに記載の補強土擁壁システムがさらに、前記壁の保留側から前記壁のドレッジ側に水分を案内するように構成された排水チャネルを具えることを特徴とする補強土擁壁システム。
【請求項１５】
請求項１乃至１４のいずれかに記載の補強土擁壁システムにおいて、前記複数の長さのストリップ状補強材が少なくとも一のブロック内に挿入された糸状セクションと、この糸状セクションと協働し、前記ブロックの後面から外側に延在するように配置され、裏込めと締固めの間に前記壁に対してほぼ垂直な位置に固定されたフリーセクションに分割されていることを特徴とする補強土擁壁システム。
【請求項１６】
請求項１乃至１５のいずれかに記載の補強土擁壁システムが複合壁の下側セクションを形成しており、当該複合壁が相転移深さが上側セクションと下側セクションに分割されていることを特徴とする補強土擁壁システム。
【請求項１７】
請求項１６に記載の補強土擁壁システムにおいて、前記上側セクションが、重力式擁壁であることを特徴とする補強土擁壁システム。
【請求項１８】
請求項１６又は１７に記載の補強土擁壁システムが更に、相転移深さにおいて、前記複合壁の下側セクションを形成しているブロックの最も上のコースとほぼ同一面に整列した土補強材保護バリヤを具えることを特徴とする補強土擁壁システム。
【請求項１９】
請求項１８に記載の補強土擁壁システムにおいて、前記土補強材保護バリヤが、コンクリートスラブであることを特徴とする補強土擁壁システム。
【請求項２０】
補強土擁壁システムの構築方法において、当該システムが、壁を形成するベースコース上のコース内に配置された複数のブロックを具え、前記壁が、コース内に敷設された複数のブロックの少なくとも一部に機能的に連結された複数の長さのストリップ状補強材上に土を裏込めし、締固めることによってつなぎ留められており：
ａ）ブロックコースを敷設するレベル面を提供するステップであって、各ブロックが前面と、この前面から前記ブロックの深さを規定する距離だけスペースをおいて配置された後面と、上面と、前記上面から前記ブロックの高さを規定する距離だけスペースをあけて配置された底面と、前記ブロックの幅を規定する距離だけ互いにスペースをあけた配置された対向する側面とを具え、前記ブロックの高さの少なくとも一部を通って延在し、前記上面又は底面の第１の開口で終端している通路と、前記通路と第１の開口がストリップ状補強材の長さの第１の部分を受けるように構成されているステップと；
ｂ）ある長さのストリップ状補強材を、前記コース内に敷設されたブロックに、前記ストリップ状補強材の長さの第１の部分が前記通路内に受けられ、前記ストリップ状補強材の長さの第２の部分が前記ブロックの上面または底面と同一面に整列するように配置され、前記ストリップ状補強材の長さの第３の部分が前記ブロックの後面から外側に延在するように配置されるように、挿入するステップと；
ｃ）前記ブロックと前記ストリップ状補強材の挿入した長さを、前記ブロックの後面と前記ストリップ状補強材の長さの第３の部分が前記壁によって保留される土に向けて方向付けられるように、前記レベル面上に位置決めするステップと；
ｄ）ステップ（ａ）ないし（ｃ）を前記擁壁に必要な高さが達成されるまで繰り返すステップと；
ｅ）前記ストリップ状補強材の長さの第３の部分の位置を、前記ブロックの後面の背後で多量の土を裏込めおよび締固めることによってつなぎ止めるステップと；
を具えることを特徴とする構築方法。
【請求項２１】
請求項２０に記載の構築方法において、前記ステップ（ｅ）は、各コースが完成した後、前記ステップ（ｃ）の後に行われることを特徴とする構築方法。
【請求項２２】
請求項２０又は２１に記載の構築方法において、モルタルを使用しない構築であって、各ブロックが更に、前記ブロックの底面に沿って前記第１の開口から延在し、前記ブロックの後面で終端しているガイドスロットを具え、当該ガイドスロットは、前記ストリップ状補強材の長さの第２の部分を収納するように構成されていることを特徴とする構築方法。
【請求項２３】
請求項２０乃至２２のいずれかに記載の構築方法において、前記ストリップ状補強材の長さの第３の部分は、ステップ（ｅ）の直前に前記ブロックの上面又はベース面と同一面に整列して配列されることを特徴とする構築方法。
【請求項２４】
請求項２０乃至２３のいずれかに記載の構築方法において、前記通路は、前記ブロックの底面に設けられている第１の開口から前記ブロックの上面に設けられている第２の開口まで、前記ブロックの全高さを通じて延在しており、ステップ（ｂ）は、ある長さのストリップ状補強材を前記通路を通って前記第１の開口から前記第２の開口まで、前記ストリップ状補強材の長さの第４の部分が前記ブロックの後面から外側に延在して配置されるように挿入するステップを具えることを特徴とする構築方法。
【請求項２５】
請求項２４に記載の構築方法において、ステップ（ｅ）が、更に、前記ストリップ状補強材の長さの第４の部分の位置を、前記ブロックの後面の背後で多量の土を裏込めし、締固めることによってつなぎ止めるステップを具えることを特徴とする構築方法。
【請求項２６】
請求項２５に記載の構築方法において、前記第４の部分が、裏込めおよび締固めの直前に前記壁から離れて前記ブロックの上面または底面に対してほぼ同一面に整列するように配置されていることを特徴とする構築方法。
【請求項２７】
請求項２０乃至２６のいずれかに記載の構築方法において、前記通路が、前記底面から上面に延在するキャビティであり、前記方法が更に、各ブロックまたはブロックの各コースが敷設された後に多量のバラストを前記キャビティに加えるステップを具えることを特徴とする構築方法。
【請求項２８】
請求項２７に記載の構築方法において、前記バラストが、排水性骨材であることを特徴とする構築方法。
【請求項２９】
請求項２７に記載の構築方法において、前記バラストが不浸透性であることを特徴とする構築方法。
【請求項３０】
請求項２０乃至２９のいずれかに記載の構築方法がさらに、
第１のコースが隣接する第２のコース上に摺動しないように一又はそれ以上のシャーピンを組み込むステップを具えることを特徴とする構築方法。
【請求項３１】
請求項２０乃至３０のいずれかに記載の構築方法において、前記複数の長さのストリップ状補強材が、ステップ（ｂ）で少なくとも一のブロック中に挿入された糸状セクションと、この糸状セクションと協働して関連しており、前記ブロックの後面から外側に延在するように配置されているフリーセクションとに分割され、ステップ（ｅ）の間に裏込めと締固めの間に前記壁に略直交する位置に固定されることを特徴とする構築方法。
【請求項３２】
請求項２０乃至３１のいずれかに記載の構築方法において、前記補強土擁壁が複合壁の下側セクションを形成しており、この複合壁が、相転移深さで上側セクションと下側セクションに分けられており、前記方法が更に、重力式擁壁又は片持式擁壁を構築して、複合壁の上側セクションを形成するステップを具えることを特徴とする構築方法。
【請求項３３】
請求項３２に記載の構築方法が更に、土補強材保護バリヤを、前記相転移深さにおいて、前記複合壁の下側セクションを形成するブロックの最も上側のコースとほぼ同一面に整列させて組み込むステップを具えることを特徴とする構築方法。
【請求項３４】
請求項３３に記載の構築方法において、前記土補強材保護バリヤを組み込むステップが、コンクリートスラブを敷設するステップを具えることを特徴とする構築方法。
【請求項３５】
請求項１乃至１９のいずれかに記載の補強土擁壁システムの構築に使用するブロック。
【請求項３６】
請求項１乃至１９のいずれかに記載の補強土擁壁システムの構築に使用するある長さのストリップ状補強材。
【請求項３７】
補強土擁壁システムにおいて：
壁を形成するためにベースコースの上のコース内に配置した複数のブロックを具え、前記壁が保留側とドレッジ側を有しており、各ブロックが、使用に際して前記壁のドレッジ側を向いた前面と、前記前面から前記ブロックの深さを規定する距離だけスペースをあけて配置され、使用に際して前記壁の保留側を向いた後面と、上面と、前記上面から前記ブロックの高さを規定する距離だけスペースをあけて配置された底面と、前記ブロックの幅を規定する距離だけ互いにスペースをあけて配置された対向する側面とを具え；
前記壁を前記裏込め材につなぎ留めるための土補強材の第１の複数のセクションを具え、この土補強材の第１の複数のセクションが、前記壁の隣接するコースの間に配置されており、前記壁の保留側で前記ブロックの後面から外側に延在しており；
前記壁の保留側で裏込めし、締固めた多量の土を安定化するための土補強材の第２の複数のセクションを具え、この土補強材の第２の複数のセクションが、前記土補強材の第１の複数のセクションからスペースをおいて配置されており、裏込めと締固めの間に前記壁にほぼ直交して延在するように構成されている；
ことを特徴とする補強土擁壁システム。
【請求項３８】
請求項３７に記載の補強土擁壁システムにおいて、前記土補強材の第２の複数のセクションは、前記壁の後面からスペースをおいて配置されていることを特徴とする補強土擁壁システム。
【請求項３９】
請求項３７又は３８に記載の補強土擁壁システムにおいて、前記土補強材の第１又は第２の複数のセクションの一方あるいは双方が、弾力的でフレキシブルであることを特徴とする補強土擁壁システム。
【請求項４０】
請求項３７又は３８に記載の補強土擁壁システムにおいて、前記壁がある高さを有しており、前記土補強材の複数の第２のセクションの長さは前記壁の高さの少なくとも６０％に等しいことを特徴とする補強土擁壁システム。
【請求項４１】
請求項３７又は３８に記載の補強土擁壁システムにおいて、前記壁がある高さを有しており、前記土補強材の複数の第２のセクションの長さは前記壁の高さの少なくとも７０％に等しいことを特徴とする補強土擁壁システム。
【請求項４２】
請求項３７又は３８に記載の補強土擁壁システムにおいて、前記壁がある高さを有しており、前記土補強材の複数の第２のセクションの長さは前記壁の高さの少なくとも８０％に等しいことを特徴とする補強土擁壁システム。
【請求項４３】
請求項３７又は３８に記載の補強土擁壁システムにおいて、前記土補強材の複数の第２のセクションの長さが少なくとも予期される前記裏込めの破断面を通って延在することを特徴とする補強土擁壁システム。
【請求項４４】
請求項３７乃至４３のいずれかに記載の補強土擁壁システムにおいて、前記土補強材の第１又は第２の複数のセクションの一方、または、双方が平坦であることを特徴とする補強土擁壁システム。
【請求項４５】
請求項３７乃至４３のいずれかに記載の補強土擁壁システムにおいて、前記土補強材の第１又は第２の複数のセクションの一方、または、双方がジオメッシュであることを特徴とする補強土擁壁システム。
【請求項４６】
請求項３７乃至４３のいずれかに記載の補強土擁壁システムにおいて、前記土補強材の第１又は第２の複数のセクションの一方、または、双方が細長のストリップ形状であることを特徴とする補強土擁壁システム。
【請求項４７】
請求項３７乃至４６のいずれかに記載の補強土擁壁システムにおいて、前記土補強材の第１又は第２の複数のセクションが互いに対して水平な同一面に配置されていることを特徴とする補強土擁壁システム。
【請求項４８】
請求項３７乃至４６のいずれかに記載の補強土擁壁システムにおいて、前記土補強材の第１の複数セクションが第１の層内に配置されており、前記土補強材の第２の複数セクションが、前記第１の層からオフセットした第２の層内に配置されていることを特徴とする補強土擁壁システム。
【請求項４９】
請求項３７乃至４８のいずれかに記載の補強土擁壁システムにおいて、前記土補強材の第１又は第２の複数のセクションの一方又は双方は、裏込めおよび締固めの直前に前記複数のブロックの一またはそれ以上の上面またはベース面と同一面に整列して配置されていることを特徴とする補強土擁壁システム。
【請求項５０】
請求項３７乃至４９のいずれかに記載の補強土擁壁システムにおいて、前記ブロックが更に、底面から上面に延在する一またはそれ以上のキャビティを具えており、当該キャビティが多量のバラストを受けるように構成されていることを特徴とする補強土擁壁システム。
【請求項５１】
請求項５０に記載の補強土擁壁システムにおいて、前記バラストが排水性骨材であることを特徴とする補強土擁壁システム。
【請求項５２】
請求項５１に記載の補強土擁壁システムにおいて、前記バラストが不浸透性であることを特徴とする補強土擁壁システム。
【請求項５３】
請求項３７乃至５２のいずれかに記載の補強土擁壁システムがさらに、第１のコースが隣接する第２のコース上に摺動しないように一又はそれ以上のシャーピンを具えることを特徴とする補強土擁壁システム。
【請求項５４】
請求項３７乃至５３のいずれかに記載の補強土擁壁システムがさらに、前記壁の保留側から前記壁のドレッジ側に水分を案内するように構成された排水チャネルを具えることを特徴とする補強土擁壁システム。
【請求項５５】
請求項３７乃至５４のいずれかに記載の補強土擁壁システムが、複合壁の下側セクションを形成しており、当該複合壁が、相転移深さで上側セクションと下側セクションに分けられていることを特徴とする補強土擁壁システム。
【請求項５６】
請求項５５に記載の補強土擁壁システムにおいて、前記上側セクションが重力型擁壁であることを特徴とする補強土擁壁システム。
【請求項５７】
請求項５５又は５６に記載の補強土擁壁システムがさらに、土補強材保護バリヤを、相転移深さにおいて、複合壁の下側セクションを形成する最も上側のブロックのコースとほぼ同一面に整列して具えることを特徴とする補強土擁壁システム。
【請求項５８】
請求項５７に記載の補強土擁壁システムにおいて、前記土補強材保護バリヤがコンクリートスラブであることを特徴とする補強土擁壁システム。
【請求項５９】
請求項３７乃至５８のいずれかに記載の補強土擁壁システムにおいて、前記土補強材の第１の複数のセクションが、モルタルを用いてブロックの隣接するコースの間に固定的に保持されていることを特徴とする補強土擁壁システム。
【請求項６０】
請求項３７乃至５８のいずれかに記載の補強土擁壁システムにおいて、前記土補強材の第１の複数のセクションが、隣接するコースを形成するブロックの重量の下で重力によって隣接するブロックのコース間に固定的に保持されていることを特徴とする補強土擁壁システム。
【請求項６１】
補強土擁壁システムの構築方法であって、壁を形成するベースコース上のコース内に配置された複数のブロックを具える構築方法において：
ａ）ブロックコースを敷設するレベル面を提供するステップであって、各ブロックが前面と、前記前面から前記ブロックの深さを規定する距離だけスペースをおいて配置された後面と、上面と、前記上面から前記ブロックの高さを規定する距離だけスペースをあけて配置された底面と、前記ブロックの幅を規定する距離だけ互いにスペースをあけて配置された対向する側面とを具え；
ｂ）壁を留めつけるための土補強材の第１の複数のセクションを、ブロックの各コースを敷設する一方で隣接する壁のコース間の裏込め材に配置するステップであって、前記土補強材の第１の複数のセクションが前記壁の保留側のブロックの後面から外側に延在して配置されており；
ｃ）各連続するコースを擁壁に必要な高さが達成するまで敷設するステップと；
ｄ）土補強材の第２の複数のセクションを、土補強材の第１の複数のセクションからスペースをあけて離して、また、ステップ（ｅ）の間に壁にほぼ垂直に延在するように配置するステップと；
ｅ）前記ブロックの後面の背後に多量の裏込め材を裏込めおよび締め固めて、土補強材の前記第１及び第２の複数のセクションの位置をつなぎ止めるステップと；
を具えることを特徴とする構築方法。
【請求項６２】
請求項６１に記載の構築方法において、ステップ（ｅ）が、ステップ（ｂ）の後で、ステップ（ｃ）の前に行われることを特徴とする構築方法。
【請求項６３】
請求項６２又は６３に記載の構築方法において、前記土補強材の第２の複数のセクションを、ステップ（ｅ）の間に、壁の後面からスペースをあけて配置したことを特徴とする構築方法。
【請求項６４】
請求項６１乃至６３のいずれかに記載の構築方法において、前記土補強材の第１及び第２の複数のセクションが、互いに対して水平な同一面に整列して配置されていることを特徴とする構築方法。
【請求項６５】
請求項６１乃至６３のいずれかに記載の構築方法において、前記土補強材の第１の複数のセクションが第１の層に配置されており、前記土補強材の第２の複数のセクションが、前記第１の層からオフセットした第２の層に配置されていることを特徴とする構築方法。
【請求項６６】
請求項６１乃至６５のいずれかに記載の構築方法において、  前記土補強材の第１又は第２の複数のセクションの一方または双方は、裏込めおよび締固めの直前に前記複数のブロックの一またはそれ以上の上面又はベース面と同一面に整列して配置されることを特徴とする構築方法。
【請求項６７】
請求項６１乃至６６のいずれかに記載の構築方法において、  前記ブロックが更に、前記底面から上面へ延在する一またはそれ以上のキャビティを具えており、このキャビティが、多量のバラストを受けるように構成されており、前記方法が更に、各ブロックまたはブロックの各コースが敷設された後に前記キャビティに多量のバラストを加えるステップを具えることを特徴とする構築方法。
【請求項６８】
請求項６７に記載の構築方法において、前記バラストが、排水性骨材であることを特徴とする構築方法。
【請求項６９】
請求項６７に記載の構築方法において、前記バラストが、不浸透性であることを特徴とする構築方法。
【請求項７０】
請求項６１乃至６９のいずれかに記載の構築方法が更に、隣接する第２のコースの上に第１のコースが摺動することを防ぐために一又はそれ以上のシャーピンを取り付けるステップを具えることを特徴とする構築方法。
【請求項７１】
請求項６１乃至７０のいずれかに記載の構築方法において、  前記補強土擁壁が、複合壁の下側セクションを形成しており、この複合壁が、相転移深さにおいて上側セクションと下側セクションに分割されており、前記方法が更に、前記複合壁の上側セクションを形成する重力型または片持型擁壁を構築するステップを具えることを特徴とする構築方法。
【請求項７２】
請求項７１に記載の構築方法が更に、土補強材保護バリアを、前記相転移深さに、前記複合壁の下側セクションを形成するブロックの最も上側のコースとほぼ同一面に整列させて取り付けるステップを具えることを特徴とする構築方法。
【請求項７３】
請求項７２に記載の構築方法において、前記土補強材保護バリヤの取り付けステップが、コンクリートスラブを敷設するステップを具えることを特徴とする構築方法。
【請求項７４】
請求項６１乃至７３のいずれかに記載の構築方法において、前記土補強材の第１の複数のセクションが、モルタルを用いて、隣接するブロックのコース間に固定的に保持されていることを特徴とする構築方法。
【請求項７５】
請求項６１乃至７３のいずれかに記載の構築方法において、前記土補強材の第１の複数のセクションが、隣接するコースを形成しているブロックの重量の下に重力によって、ブロックの隣接するコース間に固定的に保持されていることを特徴とする構築方法。
【請求項７６】
請求項１乃至１９のいずれかに記載の補強土擁壁システムの構築に使用するブロック。
【請求項７７】
請求項１乃至１９のいずれかに記載の補強土擁壁システムの構築に使用するある長さのストリップ状補強材。
【請求項７８】
添付の図面に関連してここに実質的に記載し、添付の図面に示す補強土擁壁システム。
【請求項７９】
添付の図面に関連してここに実質的に記載し、添付の図面に示す補強土擁壁システムの構築方法。
【請求項８０】
添付の図面に関連してここに実質的に記載し、添付の図面に示す補強土擁壁システムの構築に使用するブロック。
【請求項８１】
添付の図面に関連してここに実質的に記載し、添付の図面に示す補強土擁壁システムの構築に使用するある長さのストリップ状補強材。